(57)【特許請求の範囲】
【請求項１】
金属線材から成る環状の第１部材（１０、１０ａ、１０ｂ、１０ｃ、４０）と、第１部材（１０、１０ａ、１０ｂ、１０ｃ、４０）に対し回動可能に連結される、金属線材から成る第２部材（２０、５０）とを備え、
第１部材（１０、１０ａ、１０ｂ、１０ｃ、４０）は、調節ストリップ（３１）が通る第１開口部（１３、４３）を規定する基部（１１、４１）と、基部（１１、４１）から、第１開口部（１３、４３）の幅よりも狭い幅間隔を持って突き出る頭部（１２、４２）とを有し、
頭部（１２、４２）は、調節ストリップ（３１）を押さえるための押さえ部（１２ｂ、１２ｅ、１２ｆ、１２ｇ、４２ｂ）と、押さえ部（１２ｂ、１２ｅ、１２ｆ、１２ｇ、４２ｂ）から基部（１１、４１）へと延びて前記幅間隔をその間に規定する両側部（１２ａ、４２ａ）と、両側部（１２ａ、４２ａ）間において前記幅間隔が最も狭くなる括れ部（１２ｃ、４２ｃ）とを含み、
第２部材（２０、５０）は、調節ストリップ（３１）が通る第２開口部（２３、５３）を規定しかつ押さえ部（１２ｂ、１２ｅ、１２ｆ、１２ｇ、４２ｂ）を受ける受け部（２１ａ、５１ａ）と、第１部材（１０、１０ａ、１０ｂ、１０ｃ、４０）の基部（１１、４１）の肩部（１１ｃ）に連結する連結部（２２ｂ、５２ｂ）とを含む尾錠。
【請求項２】
基部（１１、４１）は、一端部が固定された連結ストリップ（３０）の他端部（３０Ａ）が連結される底軸部（１１ａ）を含み、一端部が固定された調節ストリップ（３１）の他端側が、第２開口部（２３、５３）次いで第１開口部（１３、４３）、又は第２開口部（２３、５３）次いで第１開口部（１３、４３）に通され、調節ストリップ（３１）が、第１開口部（１３、４３）にて連結ストリップ（３０）と肩部（１１ｃ）との間を通り、その調節ストリップ（３１）を前記押さえ部（１２ｂ、１２ｅ、１２ｆ、１２ｇ、４２ｂ）と受け部（２１ａ、５１ａ）との間で挟むようにする請求項１記載の尾錠。
【請求項３】
連結部（２２ｂ、５２ｂ）は肩部（１１ｃ）の中間にて連結されており、その連結部（２２ｂ、５２ｂ）と括れ部（１２ｃ）との間に、肩部（１１ｃ）が延びている請求項１又は２記載の尾錠。
【請求項４】
前記第１部材（１０、１０ａ、１０ｂ、１０ｃ）の基部（１１、４１）の肩部（１１ｃ）は、前記第２部材（２０、５０）の連結部（２２ｂ、５２ｂ）が連結される部分に、基部（１１、４１）から頭部（１２、４２）が突き出る方向に、前記第１部材（１０、１０ａ、１０ｂ、１０ｃ）を成す金属線材が突状に曲がる突出部（１１ｄ）を有する請求項１〜３のいずれか１項記載の尾錠。
【請求項５】
前記第１部材（１０、１０ａ、１０ｂ、１０ｃ）の基部（１１）の肩部は、前記第２部材（２０、５０）の連結部（２２ｂ、５２ｂ）の肩部（１１ｃ）の長さ方向に沿う移動を制限する拡張部（１１ｅ）を有する請求項１〜３のいずれか１項記載の尾錠。
【発明の詳細な説明】
【技術分野】
【０００１】
本発明は尾錠に関し、特にズボンの腰部等に設けられる一対のストリップ片に用いる尾錠に関する。
【背景技術】
【０００２】
ジーンズ等の腰部に各一端部が縫い付けられた一対のストリップ片に適用される尾錠が知られている。かかる尾錠は、ベルトとは別に腰部の締まり具合を部分的に調節したり、あるいは装飾のために使用される。従来の尾錠は、例えば意匠登録第９９５８７４号公報等に開示されており、図１２にその平面図を示す。尾錠４は、略凸字環状の第１部材６０と、第１部材６０に対して回動可能に連結される略コの字状の第２部材７０とから構成される。第１部材６０は、第１開口部６３を内側に規定する基部６１と、基部６１から突出する頭部６２とを含み、頭部６２は押さえ部６２ｂを有する。第２部材７０は、第１部材６０の頭部６２の押さえ部６２ｂを受ける頂部７１と、頂部２１の両端から延びる脚部７２とを含み、脚部７２の端部が第１部材６０の基部６１に対し回動可能に連結される。また、第２部材７０の内側には第２開口部７３が規定される。上述した一対のストリップ片の一方である連結ストリップは、第１部材６０の基部６１の底軸部６１ａに固定的に連結され、他方の調節ストリップが、尾錠４の第１開口部６３次いで第２開口部７３又は第２開口部７３次いで第１開口部６３に通される。このように尾錠４に通された調節ストリップは、第１部材６０の頭部６２の押さえ部６２ｂと第２部材７０の頂部７１との間で挟み込まれる等により、尾錠４から抜けないよう保持される。そして、調節ストリップの尾錠４に通す長さを加減することにより、腰部を部分的に締めたり緩めたりすることができる。尾錠４に通された調節ストリップは、第１開口部６３と第２開口部７３との間において、第１部材６０の頭部６２を覆うように延びるが、この頭部６２を覆う調節ストリップの部分が頭部６２の内側（符号Ｓ参照）に入り込み、尾錠４に通す調節ストリップの長さの調節が円滑に行えなくなったり、調節ストリップの外観が損なわれるという問題があった。
【先行技術文献】
【特許文献】
【０００３】
【特許文献１】意匠登録第９９５８７４号公報
【発明の概要】
【発明が解決しようとする課題】
【０００４】
従って、本発明は、調節ストリップの長さ調節や外観が阻害されることのない尾錠を提供することにある。
【課題を解決するための手段】
【０００５】
上記課題を解決するため、本発明によれば、金属線材から成る環状の第１部材と、第１部材に対し回動可能に連結される、金属線材から成る第２部材とを備え、第１部材は、調節ストリップが通る第１開口部を規定する基部と、基部から、第１開口部の幅よりも狭い幅間隔を持って突き出る頭部とを有し、頭部は、調節ストリップを押さえるための押さえ部と、押さえ部から基部へと延びて前記幅間隔をその間に規定する両側部と、両側部間において前記幅間隔が最も狭くなる括れ部とを含み、第２部材は、第２開口部を規定しかつ押さえ部を受ける受け部と、第１部材の基部の肩部に連結する連結部とを含む尾錠が提供される。
【０００６】
本発明に係る尾錠では、第１部材の基部の頭部が、調節ストリップが通される、基部の第１開口部の幅よりも狭い幅間隔を有しかつ幅間隔が最も狭い括れ部を含むため、第１開口部と第２開口部に通された調節ストリップにおける第１部材の基部の頭部を覆う部分が、頭部の内側に入り込み難くなる。
【０００７】
本発明の一実施形態では、基部は、一端部が固定された連結ストリップの他端部が連結される底軸部を含み、一端部が固定された調節ストリップの他端側が、第２開口部次いで第１開口部又は第２開口部次いで第１開口部に通され、調節ストリップが、第１開口部にて連結ストリップと肩部との間を通り、その調節ストリップを前記押さえ部と受け部との間で挟むようにする。連結ストリップ及び調節ストリップの各一端部はズボンの腰部等に固定されており、連結ストリップの他端部が第１部材の基部の底軸部に連結される。また、調節ストリップを、第２開口部次いで第１開口部又は第２開口部次いで第１開口部に通し、この通す長さを加減調節することにより、ズボンの腰部等の締め付け加減を調節することができる。
【０００８】
本発明の一実施形態では、連結部は肩部の中間にて連結されており、その連結部と括れ部との間に、肩部が延びている。このような構成により、調節ストリップの調節時に、その肩部の部分が、調節ストリップの一部を受け、括れ部の幅間隔が狭いことと相俟って、括れ部内に調節ストリップが入り込むことを防止する。
【０００９】
本発明の一実施形態では、前記第１部材の基部の肩部は、前記第２部材の連結部が連結される部分に、基部から頭部が突き出る方向に突出する突出部を有する。第２部材の連結部を、第１部材における肩部から部分的に突出する突出部に連結することにより、連結部すなわち第２部材が肩部の長さ方向に沿って移動し難くなる。そのため、調節ストリップの尾錠への適用や調節ストリップの長さの調節が容易になる。
【００１０】
本発明の一実施形態では、前記第１部材の基部の肩部は、前記第２部材の連結部の肩部の長さ方向に沿う移動を制限する拡張部を有する。このような拡張部を設けることにより、連結部すなわち第２部材の肩部の長さ方向に沿う移動を防ぐことができる。そのため、調節ストリップの尾錠への適用や調節ストリップの長さの調節が容易になる。
【００１１】
別の本発明によれば、第１金属線材から成る環状の第１部材と、第１部材に対し回動可能に連結される、第２金属線材から成る第２部材とを備え、第１部材は、調節ストリップが通る第１開口部を規定する基部と、基部から、突き出る頭部とを有し、基部は、底軸部と、その両側に頭部の突き出る方向に延びる側部と、両側部から互いに近づく方向に延びる肩部とを有し、第２部材の連結部が、肩部に連結され、その連結部よりも内側に肩部が延び、頭部は、前記肩部から連続する両側部と、頭部の先端側で両側部から互いに近づく方向に延びる押さえ部とを有する尾錠が提供される。
【００１２】
本発明では、第１部材の基部の肩部が、第２部材の連結部よりも内側に延びることで、調節ストリップが頭部の内側に入り込み難くなる。
【００１３】
本発明の一実施形態では、前記押さえ部に第１金属線材の端部を有する。環状の第１金属線材の両端を押さえ部において微間隙を持って突き合わせて端部とすることで、調節ストリップを押さえ部で押さえた状態で、頭部の上下の一方寄りに、調節ストリップが動こうとして力が働いた時に、この端部が存在するため、他方寄りにその力が伝達することがない。このため、調節ストリップの押さえがより好適に行える。
【発明の効果】
【００１４】
本発明に係る尾錠では、第１部材の基部の頭部が第１開口部の幅よりも狭い幅間隔を有しかつ幅間隔が最も狭い括れ部を含むため、第１開口部と第２開口部に通された調節ストリップにおける第１部材の基部の頭部を覆う部分が、頭部の内側に入り込み難くなる。別の本発明に係る尾錠では、第１部材の基部の肩部が、第２部材の連結部よりも内側に延びることで、調節ストリップが頭部の内側に入り込み難くなる。そのため、尾錠に通す調節ストリップの長さを円滑に行うことができ、また、調節ストリップの外観が損なわれるようなことがない。
【図面の簡単な説明】
【００１５】
【図１】本発明の一実施形態に係る尾錠の斜視図である。
【図２】図１の尾錠の平面図である。
【図３】尾錠に調節ストリップを通す状態を示す側面説明図である。
【図４】尾錠に調節ストリップを通し終えた状態を示す平面説明図である。
【図５】図４のＡ−Ａ線断面説明図である。
【図６】尾錠に対する調節ストリップの別の通し方を示す断面説明図である。
【図７】尾錠の変形例を示す平面図である。
【図８】尾錠の第１部材の変形例を示す平面図である。
【図９】尾錠の第１部材の別の変形例を示す平面図である。
【図１０】尾錠の第１部材の更に別の変形例を示す平面図である。
【図１１】尾錠の別の変形例を示す平面図である。
【図１２】従来の尾錠を示す平面図である。
【発明を実施するための形態】
【００１６】
以下、本発明の好適な実施形態を図面を参照しつつ説明する。図１及び２は、本発明の一実施形態に係る尾錠１の斜視図及び平面図である。図３〜５は、尾錠１を、一例として、ジーンズの腰部に取り付けられた一対のストリップ片である連結ストリップ３０及び調節ストリップ３１に適用する状態を表す説明図である。連結ストリップ３０と調節ストリップ３１は織編製される細幅状の生地で、同じ幅（長手方向に垂直な方向の長さ）である。尾錠１は、連結ストリップ３０の一端部が固定的に連結される略凸字環状の第１部材１０と、第１部材１０に対して回動可能に連結され、調節ストリップ３１が通される略Ｃ字状もしくは略コ字状の第２部材２０とから構成される。第１及び第２部材１０、２０は、それぞれ第１及び第２金属線材としてのアルミニウム合金、胴合金等の金属製の線材から成る。第１部材１０は、連結ストリップ３０の幅よりも若干大きい上下間隔（上下及び左右は、別途定義されない限り、図２及び４の紙面１に基づく）の第１開口部１３を内側に規定する左方の基部１１と、基部１１から右方に突出する、上下間隔（幅間隔）が基部１１よりも小さい頭部１２とを含む。そして、その頭部１２の幅間隔は、調節ストリップ３１の幅よりも狭い（小さい）。基部１１は、上下に真っ直ぐに延びる底軸部１１ａと、底軸部１１ａの上下両端からそれぞれ右方へと、底軸部１１ａに対し垂直にかつ底軸部１１ａに比べ短い長さ延びる上下の側部１１ｂと、上下の側部１１ｂの右端からそれぞれ下方及び上方へと互いに近づくように頭部１２との境界（括れ部１２ｃ）まで延びる上下の肩部１１ｃとを有する。頭部１２は、基部１１の上方の肩部１１ｃの下端及び下方の肩部１１ｃの上端からそれぞれ右方に延びる上下の両側部１２ａと、上下の側部１２ａの右端間に延び、第２部材２０との間で調節ストリップ３１を押さえ付ける役割を果たす押さえ部１２ｂとを有する。頭部１２の上下の側部１２ａは、その上下間隔が左方から右方へと次第に拡大するように傾斜し、上下の側部１２ａの左端（基部１１との境界）は、その両側部（１２ａ、４２ａ）間において上下間隔（幅間隔）が最も狭い括れ部１２ｃとなる。括れ部１２ｃの上下間隔は、調節ストリップ３１の幅の約１／３〜１／４程度であり、また、頭部１２において最も上下間隔が大きい上下の側部１２ａの右端間でも、調節ストリップ３１の幅の約１／２〜１／３程度である。そのため、調節ストリップ３１は使用時に頭部１２の上下の側部１２ａ間に入り込み難い。押さえ部１２ｂは、右方に凸となるように若干湾曲している。第１部材１０を成す線材は、その両端が押さえ部１２ｂの上下中間で互いに近接又は接触して一種の継ぎ目１２ｄが生じるように加工される。
【００１７】
第２部材２０は、第１部材１０の押さえ部１２ｂとの間で調節ストリップ３１を挟み付けるための上下に延びる頂部２１と、頂部２１の上方側及び下方側からそれぞれ上方及び下方に凸となる半円状に湾曲しつつ左方に延びる上下の脚部２２とを含む。頂部２１は、押さえ部１２ｂと同様に右方に凸となるように若干湾曲しているが、頂部２１の曲率は押さえ部１２ｂの曲率よりもわずかに小さい。第２部材２０の頂部２１における第１部材１０の押さえ部１２ｂに対応する部分は、断面円形の線材が平坦状につぶされて左右に若干拡張した受け部２１ａとなっており、受け部２１ａの上下方向の幅は、押さえ部１２ｂの上下方向の幅よりも大きい。そして、その受け部２１ａの内側も湾曲している。これにより、調節ストリップ３１を押さえ部１２ｂで押さえた際に、第２開口部２３に通った調節ストリップ３１の抵抗となり、調節ストリップ３１のズレを防止できる。また、押さえ部１２ｂと受け部２１ａとの曲率が異なり、受け部２１ａの曲率が押さえ部１２ｂの曲率よりも小さいことで、押さえ部１２ｂは上下方向の中心に近い部分に力を集中して調節ストリップ３１を押さえることができる。受け部２１ａの押さえ部１２ｂに向く面は粗面加工され、これにより、調節ストリップ３１に対する摩擦抵抗が高められる。各脚部２２は、半円状に湾曲する湾曲部２２ａと、湾曲部２２ａから更に左方に延びて、第１部材１０の基部１１の上下の肩部１１ｃに対し回動可能に連結する連結部２２ｂとを有する。相対的に、第１部材１０は、第２部材２０の連結部２２ｂと連結する肩部１１ｃを中心に第２部材２０に対し回動可能である。各連結部２２ｂは、図３及び５の紙面に基づいて下方から上方かつ左方から右方へと略Ｃ字状にカーリング加工されて、肩部１１ｃに巻き付けられる。各肩部１１ｃにおける連結部２２ｂに対応する部分は、右方に突き出る突出部１１ｄとなる。これにより、連結部２２ｂが突出部１１ｄから外れ難くなり、連結部２２ｂの肩部１１ｃに沿う上下動、すなわち第１部材１０に対する第２部材２０の上下動が制限される。第２部材２０において、頂部２１と上下の脚部２２の湾曲部２２ａの内側には第２開口部２３が規定される。また、前記肩部１１ｃは、側部１１ｂと括れ部１２ｃとの間の部分であって、連結部２２ｂは肩部１１ｃの中間（側部１１ｂ及び括れ部１２ｃから離間している位置）にて連結されており、連結部２２ｂを形成する金属線材の上下方向の寸法は、肩部１１ｃの上下方向の寸法よりも小さく、かつその連結部２２ｂと括れ部１２ｃとの間には肩部１１ｃが延びて露出しており、調節ストリップ３１の調節時に、調節ストリップ３１の一部を受け、括れ部１２ｃの幅間隔が狭いことと相俟って、括れ部１２ｃ内に調節ストリップ３１が入り込むことを防止する。第２開口部２３の最大上下間隔は、第１部材１０の第１開口部１３の上下間隔よりも若干小さくかつ調節ストリップ３１の幅よりもわずかに大きい。
【００１８】
次に、図３〜５に基づいて尾錠１の使用状態について説明する。連結ストリップ３０及び調節ストリップ３１はそれぞれの図示しない一端部（以下「固定端部」という）がジーンズの腰部に縫い付けられ固定されている。連結ストリップ３０は、左方の固定端部から右方の尾錠１へと延び、その他端３０ａは、尾錠１の第１部材１０の基部１１における第１開口部１３に（図５に基づいて上から下に）通された後、底軸部１１ａを巻くように左方に折り返され、底軸部１１ａ付近の連結ストリップ３０に縫い付けられる（図３及び５参照）。これにより、連結ストリップ３０の他端部３０Ａは、底軸部１１ａの周囲に環を成し、底軸部１１ａに対し回動可能に取り付けられる。調節ストリップ３１は、右方の固定端部から左方の尾錠１へと延び、その他端３１ａは、図３に示すように、尾錠１の第１部材１０の第１開口部１３に（図５に基づいて下から上に）通され、次いで、第１部材１０の頭部１２を覆うように右方に折り返され後、第２部材２０の第２開口部２３に（図３及び５に基づいて上から下に）通される。以下、第２開口部２３を通過した調節ストリップ３１の他端３１ａ側部分を「調節ストリップ通過部分３１Ａ」という。その後、調節ストリップ通過部分３１Ａが右方に曲げられる。次いで、第１部材１０を、第２部材２０の連結部２２ｂと連結する肩部１１ｃを中心に回動させ（図３に基づいて反時計回り方向）、第１部材１０の頭部１２の押さえ部１２ｂを第２部材２０の頂部２１の受け部２１ａに押し付けるようにする。これにより、図５に示すように、調節ストリップ３１が押さえ部１２ｂと受け部２１ａとの間に挟み付けられ、この挟み付けられた部分の前後で略Ｓ字を描くように湾曲させられる。そのため、調節ストリップ通過部分３１Ａは、押さえ部１２ｂと受け部２１ａがその間に調節ストリップ３１を挟んで実質的に閉じている限り、第２開口部２３へと後戻りして抜けることはない。また、図５に示すように、調節ストリップ３１は第１開口部１３において、底軸部１１ａに連結した連結ストリップ３０と肩部１１ｃとの間を通過している。そして、この連結ストリップ３０の幅（上下方向の寸法）は、第２部材２０の一対の連結部２２ｂが連結する部分を覆うように、一対の連結部２２ｂの間の幅よりも大きいことが好ましい。調節ストリップ通過部分３１Ａの長さを増やすと、連結ストリップ３０の固定端部と調節ストリップ３１の固定端部とが互いに近付き、両固定端部間の間隔が狭まるため、ジーンズの腰部が部分的に締まる。他方、調節ストリップ通過部分３１Ａの長さを減らすと、連結ストリップ３０と調節ストリップ３１の両固定端部間の間隔が広がり、ジーンズの腰部が部分的に緩む。調節ストリップ通過部分３１Ａの長さを増やしてジーンズの腰部を締めている状態では、調節ストリップ３１がその固定端部側に引っ張られる（連結ストリップ３０もその固定端部側に引っ張られる）。これに伴い、第１部材１０の頭部１２を（図５に基づいて上方から）覆う調節ストリップ３１の部分（以下「調節ストリップ頭部対応部分」という。）３１Ｂが第１部材１０の頭部１２を第２部材２０側に付勢し、これにより、押さえ部１２ｂが受け部２１ａに押し付けられ、調節ストリップ３１に対する締め付けが強くなるように作用する。図４を参照して、尾錠１の第１部材１０の頭部１２は、基部１１との境界の括れ部１２ｃで上下間隔が最も狭くなっているため、上記した調節ストリップ頭部対応部分３１Ｂが第１部材１０の頭部１２を第２部材２０側に付勢する時でさえ、調節ストリップ頭部対応部分３１Ｂは頭部１２の内側に入り込み難い。
【００１９】
尾錠１に対して調節ストリップ３１を通す方法は、図３に示すもの以外に、図６に示す方法がある。すなわち、調節ストリップ３１の他端３１ａは、尾錠１の第２部材２０の第２開口部２３に（図６に基づいて下から上に）通され、次いで、第１部材１０の頭部１２を覆うように左方に曲げられ、第１部材１０の第１開口部１３に（図６に基づいて上から下に）通され、その後、左方に曲げられる。この場合、第１開口部１３を通過した調節ストリップ３１の他端３１ａ側部分の長さを増やすと、ジーンズの腰部が部分的に締まり、減らすと緩む。図６の調節ストリップ３１の通し方でも、第１部材１０の頭部１２を覆う調節ストリップ頭部対応部分３１Ｂは、括れ部１２ｃを含む頭部１２の内側に入り込み難い。
【００２０】
図７は、尾錠１の変形例である尾錠２を示す平面図であり、尾錠１と実質的に共通する部分には尾錠１と同じ参照番号を付している。尾錠２は尾錠１と次の点が異なる。すなわち、第１部材１０の基部１１の肩部１１ｃにおいて、第２部材２０の脚部２２の連結部２２ｂと連結する部分に突出部１１ｄがなく、その代わりに、上下の連結部２２ｂそれぞれの上下方向内側に、肩部１１ｃを成す線材を部分的に潰して平坦状にした拡張部１１ｅが設けられる。連結部２２ｂは拡張部１１ｅを越えられないため、連結部２２ｂの肩部１１ｃに沿う上下動が制限される。図８は、尾錠１の第１部材１０の変形例である第１部材１０ａを示す平面図である。第１部材１０ａは、第１部材１０の押さえ部１２ｂに対応する押さえ部１２ｅが平坦状に潰されており、この押さえ部１２ｅ以外は第１部材１０と実質的に共通するため、第１部材１０と同じ参照番号を付している。押さえ部１２ｅは、平坦状に拡張された面が第２部材２０の受け部２１ａの粗面とほぼ平行に対向するように形成される。図９は、第１部材１０の別の変形例である第１部材１０ｂを示す平面図である。第１部材１０ｂは、第１部材１０の押さえ部１２ｂに対応する押さえ部１２ｆが直線状に形成され、この点以外は第１部材１０と実質的に共通するため、第１部材１０と同じ参照番号を付している。図１０は、第１部材１０の更に別の変形例である第１部材１０ｃを示す平面図である。第１部材１０ｃは、第１部材１０の押さえ部１２ｂに対応する押さえ部１２ｇが左方に窪むようにＶの字状に屈曲され、これにより、押さえ部１２ｂと上下の側部１２ａとが鋭角を成すように形成される。この押さえ部１２ｅ以外は第１部材１０と実質的に共通するため、第１部材１０と同じ参照番号を付している。押さえ部１２ｂは、調節ストリップ３１を受け部２１ａに対し固定し易い。
【００２１】
図１１は、尾錠１の別の変形例である尾錠３を示す平面図である。尾錠３は、第１部材４０と、第１部材４０に対して回動可能に連結される第２部材５０とを備える。第１部材４０は、矩形状の基部４１と、基部４１から右方に突出する円形状の頭部４２とを含み、基部４１の内側に第１開口部４３が規定される。頭部４２における基部４１との境界には上下間隔が最も狭い括れ部４２ｃが存在し、また、頭部４２の右方側には円弧状の押さえ部４２ｂがあり、括れ部４２ｃと押さえ部４２ｂとの間が上下の側部４２ａとなる。第２部材５０は、上下に直線状に延びる頂部５１と、頂部５１の上下両端それぞれから左方へと頂部５１に対し垂直に延びる上下の脚部５２とからほぼコの字状に形成される。第２部材５０の内側には第２開口部５３が規定される。頂部５１には、第１部材１０の頭部４２の押さえ部４２ｂを受ける、平坦矩形状に拡張された受け部５１ａが設けられる。上下の脚部５２は、その左方端部に、段状に上下間隔が若干縮小した連結部５２ｂを含む。尾錠３は、連結ストリップ３０及び調節ストリップ３１に対し尾錠１と同様に適用される。なお、連結ストリップ３０と調節ストリップ３１とは、１本の連続するものであってもよい。
【符号の説明】
【００２２】
１、２、３  尾錠
１０、１０ａ、１０ｂ、１０ｃ、４０  第１部材
１１、４１  基部
１１ａ  底軸部
１１ｃ  肩部
１１ｄ  突出部
１２、４２  頭部
１２ａ、４２ａ  （頭部の）側部
１２ｂ、１２ｅ、１２ｆ、１２ｇ、４２ｂ  押さえ部
１２ｃ、４２ｃ  括れ部
１３、４３  第１開口部
２０、５０  第２部材
２１、５１  頂部
２１ａ、５１ａ  受け部
２２、５２  脚部
２２ｂ、５２ｂ  連結部
２３、５３  第２開口部
３０  連結ストリップ
３１  調節ストリップ
【図１】
0005746933.tif 000002
【図２】
0005746933.tif 000003
【図３】
0005746933.tif 000004
【図４】
0005746933.tif 000005
【図５】
0005746933.tif 000006
【図６】
0005746933.tif 000007
【図７】
0005746933.tif 000008
【図８】
0005746933.tif 000009
【図９】
0005746933.tif 000010
【図１０】
0005746933.tif 000011
【図１１】
0005746933.tif 000012
【図１２】
0005746933.tif 000013